【事件の表示】
　特願２０１２−５３６３８２「コンテンツ供給装置、コンテンツ供給方法、コンテンツ再生装置、コンテンツ再生方法、プログラム、およびコンテンツ視聴システム」拒絶査定不服審判事件〔平成２４年　４月　５日国際公開、ＷＯ２０１２／０４３３５８、請求項の数（１４）〕について、次のとおり審決する。
【結　論】
　原査定を取り消す。
　本願の発明は、特許すべきものとする。
【理　由】
第１　経緯
　本願は、２０１１年（平成２３年）９月２２日（パリ条約による優先権主張２０１０年１０月１日、米国、２０１１年７月５日、米国）を国際出願日とする出願であって、その手続の経緯は、以下のとおりである。
　　
　平成２７年１０月　７日：拒絶理由の通知
　平成２７年１１月１８日：手続補正
　平成２８年　４月２５日：拒絶査定
　平成２８年　４月２８日：拒絶査定の謄本の送達
　平成２８年　７月１３日：拒絶査定不服審判の請求
　平成２８年　７月１３日：手続補正
　　
第２　原査定の概要
　原査定の理由は、概略、次のとおりである。
　　
［査定の理由］
理由１：この出願の請求項１〜１２に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
理由２：この出願の請求項１〜１２に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　
　　　　　　　　　　　　　　　　　記
　引用文献１：国際公開第２０１０／１０９８６０号
　　
第３　本願発明
１　本願請求項１〜１４に係る発明
　本願請求項１〜１４に係る発明（以下、それぞれ「本願発明１」〜「本願発明１４」という。）は、平成２７年１１月１８日付け、平成２８年７月１３日付けの手続補正で補正された特許請求の範囲の請求項１〜１４に記載された事項により特定される発明であり、以下のとおりの発明である。
　　
「　【請求項１】
　コンテンツ再生装置に対して映像コンテンツを供給するコンテンツ供給装置において、
　再生する映像コンテンツの切り替えに関する処理を前記コンテンツ再生装置に実行させるためのビデオスイッチコマンドとして、再生する映像コンテンツの切り替えタイミングに先行して、再生する映像コンテンツの切り替えの実行の可否をユーザに確認させるプリセレクトコマンド、再生する映像コンテンツの切り替えタイミングに先行して、切替え先の映像コンテンツを取得させるプリロードコマンド、および、再生する映像コンテンツを切り替えさせるスイッチコマンドの組み合わせを生成するか、または、前記プリセレクトコマンドおよび前記スイッチコマンドの組み合わせを生成する生成部と、
　生成された前記ビデオスイッチコマンドを埋め込んだ映像コンテンツを放送網を介して放送する放送部と、
　映像コンテンツをインターネットを介して配信する配信部と
　を備えるコンテンツ供給装置。
　　【請求項２】
　前記生成部は、再生する映像コンテンツを切り替えた後、切替え前の映像ストリームに復帰するに際して、ループバックを行うか否かを指示するための要素を含む前記ビデオスイッチコマンドを生成する
　請求項１に記載のコンテンツ供給装置。
　　【請求項３】
　前記生成部は、切替え先の映像コンテンツを取得するに際してユーザ認証を行うか否かを指示するための要素を含む前記ビデオスイッチコマンドを生成する
　請求項１または２に記載のコンテンツ供給装置。
　　【請求項４】
　前記生成部は、ビデオスイッチコマンドとして、ユーザが指定する視点に対応する映像コンテンツに切替え可能な状態とさせるイネーブルスイッチコマンド、または、ユーザが指定する視点に対応する映像コンテンツに切替え可能な状態を終了させるディセーブルスイッチコマンドを生成する
　請求項１から３のいずれかに記載のコンテンツ供給装置。
　　【請求項５】
　前記配信部も、生成された前記ビデオスイッチコマンドを埋め込んだ映像コンテンツをインターネットを介して配信する
　請求項１から４のいずれかに記載のコンテンツ供給装置。
　　【請求項６】
　コンテンツ再生装置に対して映像コンテンツを供給するコンテンツ供給装置のコンテンツ供給方法において、
　コンテンツ供給装置による、
　　再生する映像コンテンツの切り替えに関する処理を前記コンテンツ再生装置に実行させるためのビデオスイッチコマンドとして、再生する映像コンテンツの切り替えタイミングに先行して、再生する映像コンテンツの切り替えの実行の可否をユーザに確認させるプリセレクトコマンド、再生する映像コンテンツの切り替えタイミングに先行して、切替え先の映像コンテンツを取得させるプリロードコマンド、および、再生する映像コンテンツを切り替えさせるスイッチコマンドの組み合わせを生成するか、または前記プリセレクトコマンドおよび前記スイッチコマンドの組み合わせを生成する生成ステップと、
　　生成された前記ビデオスイッチコマンドを埋め込んだ映像コンテンツを放送網を介して放送する放送ステップと、
　　映像コンテンツをインターネットを介して配信する配信ステップと
　を含むコンテンツ供給方法。
　　【請求項７】
　コンテンツ再生装置に対して映像コンテンツを供給するコンピュータを、
　再生する映像コンテンツの切り替えに関する処理を前記コンテンツ再生装置に実行させるためのビデオスイッチコマンドとして、再生する映像コンテンツの切り替えタイミングに先行して、再生する映像コンテンツの切り替えの実行の可否をユーザに確認させるプリセレクトコマンド、再生する映像コンテンツの切り替えタイミングに先行して、切替え先の映像コンテンツを取得させるプリロードコマンド、および再生する映像コンテンツを切り替えさせるスイッチコマンドの組み合わせを生成するか、または、前記プリセレクトコマンドおよび前記スイッチコマンドの組み合わせを生成する生成部と、
　生成された前記ビデオスイッチコマンドを埋め込んだ映像コンテンツを放送網を介して放送する放送部と、
　映像コンテンツをインターネットを介して配信する配信部と
　して機能させるプログラム。
　　【請求項８】
　コンテンツ供給装置から供給される複数の映像コンテンツを切り替えて再生するコンテンツ再生装置において、
　放送網を介して放送された映像コンテンツ、またはインターネットを介して配信された映像コンテンツを取得する取得部と、
　取得された前記映像コンテンツに埋め込まれているビデオスイッチコマンドを解析する解析部と、
　前記ビデオスイッチコマンドの解析結果に従い、再生する映像コンテンツの切り替えに関する処理を制御する制御部と
　を備え、
　前記ビデオスイッチコマンドは、
　　再生する映像コンテンツの切り替えタイミングに先行して、再生する映像コンテンツの切り替えの実行の可否をユーザに確認させるプリセレクトコマンド、再生する映像コンテンツの切り替えタイミングに先行して、切替え先の映像コンテンツを取得させるプリロードコマンド、および、再生する映像コンテンツを切り替えさせるスイッチコマンドの組み合わせ、
　または、
　　前記プリセレクトコマンドおよび前記スイッチコマンドの組み合わせである
　コンテンツ再生装置。
　　【請求項９】
　放送網を介して放送された前記映像コンテンツをバッファリングするバッファ部を
　さらに備え、
　前記ビデオスイッチコマンドは、再生する映像コンテンツを切り替えた後、切替え前の映像ストリームに復帰するに際して、ループバックを行うか否かを指示するための要素を含む
　請求項８に記載のコンテンツ再生装置。
　　【請求項１０】
　前記コンテンツ再生装置は、テレビジョン受像機に内蔵されている
　請求項８に記載のコンテンツ再生装置。
　　【請求項１１】
　前記コンテンツ再生装置は、セットトップボックスに内蔵されている
　請求項８に記載のコンテンツ再生装置。
　　【請求項１２】
　コンテンツ供給装置から供給される複数の映像コンテンツを切り替えて再生するコンテンツ再生装置のコンテンツ再生方法において、
　コンテンツ再生装置による、
　　放送網を介して放送された映像コンテンツ、またはインターネットを介して配信された映像コンテンツを取得する取得ステップと、
　　取得された前記映像コンテンツに埋め込まれているビデオスイッチコマンドを解析する解析ステップと、
　　前記ビデオスイッチコマンドの解析結果に従い、再生する映像コンテンツの切り替えに関する処理を制御する制御ステップと
　を含み、
　前記ビデオスイッチコマンドは、
　　再生する映像コンテンツの切り替えタイミングに先行して、再生する映像コンテンツの切り替えの実行の可否をユーザに確認させるプリセレクトコマンド、再生する映像コンテンツの切り替えタイミングに先行して、切替え先の映像コンテンツを取得させるプリロードコマンド、および、再生する映像コンテンツを切り替えさせるスイッチコマンドの組み合わせ、
　または、
　　前記プリセレクトコマンドおよび前記スイッチコマンドの組み合わせである
　コンテンツ再生方法。
　　【請求項１３】
　コンテンツ供給装置から供給される複数の映像コンテンツを切り替えて再生するコンピュータを、
　放送網を介して放送された映像コンテンツ、またはインターネットを介して配信された映像コンテンツを取得する取得部と、
　取得された前記映像コンテンツに埋め込まれているビデオスイッチコマンドを解析する解析部と、
　前記ビデオスイッチコマンドの解析結果に従い、再生する映像コンテンツの切り替えに関する処理を制御する制御部と
　して機能させ、
　前記ビデオスイッチコマンドは、
　　再生する映像コンテンツの切り替えタイミングに先行して、再生する映像コンテンツの切り替えの実行の可否をユーザに確認させるプリセレクトコマンド、再生する映像コンテンツの切り替えタイミングに先行して、切替え先の映像コンテンツを取得させるプリロードコマンド、および、再生する映像コンテンツを切り替えさせるスイッチコマンドの組み合わせ、
　または、
　　前記プリセレクトコマンドおよび前記スイッチコマンドの組み合わせである
　プログラム。
　　【請求項１４】
　コンテンツ供給装置とコンテンツ再生装置からなるコンテンツ視聴システムにおいて、
　コンテンツ供給装置は、
　　再生する映像コンテンツの切り替えに関する処理を前記コンテンツ再生装置に実行させるためのビデオスイッチコマンドとして、再生する映像コンテンツの切り替えタイミングに先行して、再生する映像コンテンツの切り替えの実行の可否をユーザに確認させるプリセレクトコマンド、再生する映像コンテンツの切り替えタイミングに先行して、切替え先の映像コンテンツを取得させるプリロードコマンド、および再生する映像コンテンツを切り替えさせるスイッチコマンドの組み合わせを生成するか、または、前記プリセレクトコマンドおよび前記スイッチコマンドの組み合わせを生成する生成部と、
　　生成された前記ビデオスイッチコマンドを埋め込んだ映像コンテンツを放送網を介して放送する放送部と、
　　映像コンテンツをインターネットを介して配信する配信部と
　を備え、
　コンテンツ再生装置は、
　　放送網を介して放送された映像コンテンツ、またはインターネットを介して配信された映像コンテンツを取得する取得部と、
　　取得された前記映像コンテンツに埋め込まれているビデオスイッチコマンドを解析する解析部と、
　　前記ビデオスイッチコマンドの解析結果に従い、再生する映像コンテンツの切り替えに関する処理を制御する制御部と
　を備える
　コンテンツ視聴システム。」
　　
２　本願発明１の分説
　本願発明１を分説すると、次のとおりである。
　　
（本願発明１）
「（Ａ）コンテンツ再生装置に対して映像コンテンツを供給するコンテンツ供給装置において、
（Ｂ）再生する映像コンテンツの切り替えに関する処理を前記コンテンツ再生装置に実行させるためのビデオスイッチコマンドとして、再生する映像コンテンツの切り替えタイミングに先行して、再生する映像コンテンツの切り替えの実行の可否をユーザに確認させるプリセレクトコマンド、再生する映像コンテンツの切り替えタイミングに先行して、切替え先の映像コンテンツを取得させるプリロードコマンド、および、再生する映像コンテンツを切り替えさせるスイッチコマンドの組み合わせを生成するか、または、前記プリセレクトコマンドおよび前記スイッチコマンドの組み合わせを生成する生成部と、
（Ｃ）生成された前記ビデオスイッチコマンドを埋め込んだ映像コンテンツを放送網を介して放送する放送部と、
（Ｄ）映像コンテンツをインターネットを介して配信する配信部と
（Ｅ）を備えるコンテンツ供給装置。」
　　
（（Ａ）〜（Ｅ）は、当審で付与した。以下各構成要件を「構成要件Ａ」等という。）
　　
第４　引用文献１、引用発明
１　引用文献１の記載事項
　原査定の拒絶の理由に引用された引用文献１には、図面とともに次の事項が記載されている。（下線は当審が付与した。）
　　
「[0002]　現在、技術の向上に従って、ネットワーク側から
端末
ＵＥ
「[0020]　図１には、複数の
ＵＥ１０が
コンテンツを使用する
コンテンツサーバ３０からインターネットなどの媒体を通じてコンテンツが配信される場合
コンテンツサーバ３０からテレビジョン放送
放送ネットワーク４０を通じてコンテンツが配信される場合
映像
　　
「[0023]　本発明では、
コンテンツを提供する
コンテンツ自体
のデータに、コンテンツ切り換えのためのトリガ情報が埋め込まれる
　　
「[0025]　また、本発明では、
コンテンツサーバ３０
によって、提供するコンテンツに合わせてコンテンツ切り換えのシーケンス（シーケンス情報）が設定されるとともに、コンテンツに挿入するトリガ情報が生成される
ＵＥ１０
コンテンツに含まれるトリガ情報に対応するトリガアクションを特定して、そのトリガアクションに従ったコンテンツの切り換え処理を行う
　　
「[0028]　図２において、例えば、あるＵＥ１０がコンテンツを使用するセッションＡを開始したとする。このとき、ＵＥ１０においてセッションＡが設定されるが、例えばセッションＡに埋め込まれたトリガ情報を検出した場合、
ＵＥ１０は、このトリガ情報に基づいて別のセッションＢへの切り換えを行う
ＵＥ１０は、トリガ情報の検出を契機としてセッションの切り換えを行っていく
　　
「[0068]　また、上述の第２の例の場合に、ＵＥ１０は、検出されたトリガ情報に記載されているトリガアクションをすべて受け入れて、そのトリガアクションを行うことも可能であるが、特定のトリガ情報に対応したトリガアクションのみを行うことも可能である。例えば、トリガ情報にどのような端末向けかを示す情報などが記載されており、
ＵＥ１０自身が
単一のトリガ情報に複数の選択肢（複数のトリガアクション）が記載されており、どの選択肢を選択することがふさわしいかを判断したりすることも可能である
[0069]　なお、このようにトリガ情報に含まれている情報量が多く、また、トリガ情報に係る判断処理などの処理量が多くなる場合には、実際にトリガアクションを行うまでに時間を要する可能性もある。このような可能性を考慮して、例えば、
トリガ情報に実際のアクションを起こすタイミングが記載されていてもよい
２つのセッションの選択肢から１つを選び、５秒後に選択したセッションへ切り換える
　　
「[0072]　本発明では、コンテンツ中に（コンテンツの状態に合わせて）トリガ情報を挿入できるので、単にプログラム（タイムテーブル）が決まっている放送コンテンツだけでなく、その他のメディア（通信セッションをも含む）を合わせて扱う際にセッション制御サーバの負荷を低減できるようになる。また、シーケンス情報を利用することにより、既存のメディアに存在する状態変化をトリガとすることが可能である。さらに、端末の状態（通信品質、位置、移動速度など）やユーザのプレファレンスなどに応じて、コンテンツ変更（ビットレートの変更、任意コンテンツ／放送コンテンツの切り換えなど）を行うためのセッション切り換えを指示するようにも拡張可能である。」
　　
「[0075]　トリガアクションに記載される付加情報として、カメラアングルの選択に関する情報が用いられてもよい。ネットワーク側から複数のコンテンツをまとめ、並行して１つのコンテンツとして提供する場合（例えば、マルチアングル映像や、多国語対応の映像音声などが複数のセッションに振り分けられているような場合）、コンテンツサーバ３０から配信されるコンテンツに、カメラアングルなどの選択や変更可能なタイミングでトリガ情報が挿入される。ＵＥ１０は、このトリガ情報を検出すると、トリガ情報に対応するトリガアクションを見つけるとともに付加情報を参照し、セッションによってカメラアングルの選択が可能なことを把握する。この場合、
ＵＥ１０は、ユーザの入力
に従って、
カメラアングルに関連するセッションへの切り換えを行うことが可能となる
[0076]　また、トリガアクションに記載される付加情報として、特別に選ばれたＵＥ１０であることを示す情報が用いられてもよい。例えば、放送やマルチキャストによって配信されているコンテンツを複数のＵＥ１０が使用（主に、受信）している状態において、ネットワーク側が、特定のＵＥ１０に質問を行って回答を求める場合などに、特定のトリガ情報（特定のＵＥ１０のみが選ばれたことを示す情報に対応）をコンテンツに挿入する。なお、複数のＵＥ１０のうちの特定のＵＥ１０のみがこのトリガ情報に対応するトリガアクションを行うことが可能である。特定のＵＥ１０は、このトリガ情報を検出すると、トリガ情報に対応するトリガアクションを見つけるとともに付加情報を参照し、自身が特別に選ばれたことを把握し、対応するトリガアクションを行う。対応するトリガアクションは、例えば、送信（送受信）が可能なセッションへのセッション切り換えに対応しており、これによって、特定のＵＥ１０は、質問に対する回答を行うことが可能となる。なお、ユーザのコンテンツへの参加が終了した時点で、ＵＥ１０は、元のセッション（主に受信のみを行うセッション）に復帰するようにすることが望ましい。また、コンテンツへの参加中も前述のように複数のセッションを維持して、自身の参加している状態を並行して受信できるようにしてもよい（完全なセッションの切り換えではなく、セッションの追加を行う）。
[0077]　また、
トリガアクションに記載される付加情報として
ユーザ入力による条件を示す情報が用いられてもよい
１つのトリガに対して複数のトリガアクションが関連付けられており、さらに各トリガアクションに
ユーザ入力などの条件が付加情報として記載される
ＵＥ１０の
入力に応じたトリガアクションを行い、これによって、各ＵＥ１０における条件に応じて異なるセッションへ分岐させる
ユーザの選択
条件に応じてストーリーが分岐し
途中経過や結末が異なるコンテンツへ誘導される
　　
「[0079]　また、トリガアクションに記載される付加情報として、セッション切り換えと同時にＵＥ１０が接続する無線チャンネル（周波数）の切り換えを行うよう指示する情報（さらに、切り換え先の周波数を特定する情報が含まれていてもよい）が用いられてもよい。この場合、無線チャンネルの切り換え準備に必要な期間にセッションが途切れてしまわないようにするため、実際の無線チャンネルの切り換え（
セッション切り換え
のためのトリガ情報を挿入する前にその切り換え準備を行わせるためのトリガ情報が挿入されるようにしてもよく、指定期間の間に切り換え準備を行うアクションと、指定した時間に
セッション切り換えを行うアクションの両方を、１つのトリガ情報によって指示してもよい
　　
２　引用文献１に記載された発明
　上記１の記載事項によると、引用文献１には、端末に映像コンテンツを配信するコンテンツサーバが記載されており、このコンテンツサーバを引用発明として認定する。
　コンテンツサーバの詳細は、以下のとおりである。
　　
（１）コンテンツサーバ
　段落[0020]によると、コンテンツサーバは、インターネットや放送ネットワークを通じて映像コンテンツをＵＥに配信する。ここで、ＵＥは端末である（段落[0002]）。
　したがって、『コンテンツサーバ』は、『端末に映像コンテンツを配信する』ものである。
　　
（２）トリガ情報を生成する生成部
（２−１）トリガ情報
　段落[0023]によると、コンテンツのデータ内にコンテンツを切り換えのためのトリガ情報が埋め込まれ、段落[0025]によると、端末（ＵＥ）は、コンテンツに含まれるトリガ情報に対応するトリガアクションを特定して、そのトリガアクションに従ったコンテンツの切り換え処理を行う。
　
　トリガ情報は、
　トリガ情報の検出を契機としてセッションの切り換えを行う（段落[0028]）、
　トリガ情報に複数のトリガアクションの選択肢が記載されており、端末（ＵＥ）がどの選択肢を選択することがふさわしいかを判断し、切り換えを行う（段落[0068]）、
　トリガ情報として、２つのセッションの選択肢から１つを選び、５秒後に切り換える（段落[0069]）、
　トリガ情報として、カメラアングルをユーザ入力に従って選択し、切り換えを行う（段落[0075]）、
　トリガ情報として、ユーザの選択により異なるコンテンツに切り換えを行う（段落[0077]）、
　切り換えのためのトリガ情報を挿入する前に切り換え準備を行うトリガ情報を挿入する（段落[0079]）、すなわち、切り換え準備を行うトリガ情報と切り換えのためのトリガ情報を挿入し、切り換えのためのトリガ情報により切り換えを行う、
もののうちのいずれかを含むものである。
　　
（２−２）トリガ情報を生成する生成部
　段落[0025]によると、コンテンツサーバはコンテンツに挿入するトリガ情報を生成するから、コンテンツサーバは、『トリガ情報を生成する生成部』を備えているといえる。
　　
（３）配信部
　段落[0020]によると、コンテンツサーバは、インターネットや放送ネットワークを通じて映像コンテンツをＵＥに配信し、ここで、ＵＥは端末である（段落[0002]）。
　そうすると、コンテンツサーバは、『映像コンテンツを放送ネットワークを通じて配信する配信部』、『映像コンテンツをインターネットを通じて配信する配信部』を備えているといえる。
　上記（２−１）のとおり、コンテンツのデータ内にコンテンツを切り換えのためのトリガ情報が埋め込まれ、上記（２−２）のとおり、「トリガ情報」は、『トリガ情報を生成する生成部』で生成されるから、『映像コンテンツを放送ネットワークを通じて配信する配信部』の「映像コンテンツ」は、「生成された前記トリガ情報を埋め込んだ映像コンテンツ」といえる。
　したがって、コンテンツサーバは、『生成された前記トリガ情報を埋め込んだ映像コンテンツを放送ネットワークを通じて配信する配信部』を備えているといえる。
　　
（４）以上まとめると、引用文献１には、次の発明が記載されていると認められる。この発明を以下「引用発明」という。
　　
（引用発明）
「（ａ）端末に映像コンテンツを配信するコンテンツサーバにおいて、
（ｂ） 映像コンテンツを切り換えるためのトリガ情報を生成する生成部であって、
（ｂ1）ここでトリガ情報は、
（ｂ1-1）トリガ情報の検出を契機としてセッションの切り換えを行う、
（ｂ1-2）トリガ情報に複数のトリガアクションの選択肢が記載されており、端末がどの選択肢を選択することがふさわしいかを判断し、切り換えを行う、
（ｂ1-3）トリガ情報として、２つのセッションの選択肢から１つを選び、５秒後に切り換える、
（ｂ1-4）トリガ情報として、カメラアングルをユーザ入力に従って選択し、切り換えを行う、
（ｂ1-5）トリガ情報として、ユーザの選択により異なるコンテンツに切り換えを行う、
（ｂ1-6）切り換え準備を行うトリガ情報と切り換えのためのトリガ情報を挿入し、切り換えのためのトリガ情報により切り換えを行う、
（ｂ1）もののうちのいずれかを含むものである、
（ｂ）生成部と、
（ｃ）生成された前記トリガ情報を映像コンテンツに埋め込んだ映像コンテンツを放送ネットワークを通じて配信する配信部と、
（ｄ）映像コンテンツをインターネットを通じて配信する配信部と、
（ｅ）を備えるコンテンツサーバ。」
　　
　なお、（ａ）〜（ｅ）は、構成を識別するために付与した。以下各構成を「構成ａ」等という。
　　
第５　対比・判断
１　本願発明１について
（１）対比
　本願発明１と引用発明とを対比する。
　　
ア　構成要件Ａと構成ａとを対比する。
　引用発明の「端末」、「映像コンテンツを配信するコンテンツサーバ」は、それぞれ、本願発明１の「コンテンツ再生装置」、「映像コンテンツを供給するコンテンツ供給装置」に相当する。
　したがって、本願発明１と引用発明とは、「コンテンツ再生装置に対して映像コンテンツを供給するコンテンツ供給装置」として一致する。
　　
イ　構成要件Ｂと構成ｂ、ｂ1、ｂ1-1〜ｂ1-6とを対比する。
　引用発明の「トリガ情報」は、「映像コンテンツを切り換えるため」のものであり、構成ｂ1-1〜ｂ1-6のうちのいずれかのものであるから、「再生する映像コンテンツの切り替えに関する処理を前記コンテンツ再生装置に実行させるためのビデオスイッチコマンド」といえる。
　そうすると、引用発明の「映像コンテンツを切り換えるためのトリガ情報を生成する生成部」は、「再生する映像コンテンツの切り替えに関する処理を前記コンテンツ再生装置に実行させるためのビデオスイッチコマンドを生成する生成部」として、本願発明１と共通する。
　しかしながら、「ビデオスイッチコマンド」が、引用発明においては、構成ｂ1-1〜ｂ1-6のいずれかであるのに対し、本願発明１においては、
「再生する映像コンテンツの切り替えタイミングに先行して、再生する映像コンテンツの切り替えの実行の可否をユーザに確認させるプリセレクトコマンド、再生する映像コンテンツの切り替えタイミングに先行して、切替え先の映像コンテンツを取得させるプリロードコマンド、および、再生する映像コンテンツを切り替えさせるスイッチコマンドの組み合わせを生成するか、または、前記プリセレクトコマンドおよび前記スイッチコマンドの組み合わせ」である点で相違する。
　　
ウ　構成要件Ｃと構成ｃとを対比する。
　引用発明における「映像コンテンツを放送ネットワークを通じて配信する」ことは、本願発明１の「映像コンテンツを放送網を介して放送する」ことに相当する。
　したがって、本願発明１と引用発明とは、「生成された前記ビデオスイッチコマンドを埋め込んだ映像コンテンツを放送網を介して放送する放送部」を備える点で一致する。
　　
エ　構成Ｄと構成ｄとを対比する。
　本願発明１と引用発明とは、「映像コンテンツをインターネットを介して配信する配信部」を備える点で一致する。
　　
オ　構成要件Ｅと構成ｅとを対比する。
　上記アのとおり、本願発明１と引用発明とは、「コンテンツ供給装置」として一致する。
　　
カ　以上より、本願発明１と引用発明との一致点、相違点は、次のとおりである。
　　
（一致点）
　コンテンツ再生装置に対して映像コンテンツを供給するコンテンツ供給装置において、
　再生する映像コンテンツの切り替えに関する処理を前記コンテンツ再生装置に実行させるためのビデオスイッチコマンドを生成する生成部と、
　生成された前記ビデオスイッチコマンドを埋め込んだ映像コンテンツを放送網を介して放送する放送部と、
　映像コンテンツをインターネットを介して配信する配信部と
　を備えるコンテンツ供給装置。
　　
（相違点）
　「生成部」が生成する「ビデオスイッチコマンド」が、
　本願発明１においては、
「再生する映像コンテンツの切り替えタイミングに先行して、再生する映像コンテンツの切り替えの実行の可否をユーザに確認させるプリセレクトコマンド、再生する映像コンテンツの切り替えタイミングに先行して、切替え先の映像コンテンツを取得させるプリロードコマンド、および、再生する映像コンテンツを切り替えさせるスイッチコマンドの組み合わせを生成するか、または、前記プリセレクトコマンドおよび前記スイッチコマンドの組み合わせ」であるのに対し、
　引用発明においては、当該組み合わせではない点
　　
（２）相違点についての判断
　引用発明において「ビデオスイッチコマンド」に相当する「トリガ情報」は、
「（ｂ1-1）トリガ情報の検出を契機としてセッションの切り換えを行う、
（ｂ1-2）トリガ情報に複数のトリガアクションの選択肢が記載されており、端末がどの選択肢を選択することがふさわしいかを判断し、切り換えを行う、
（ｂ1-3）トリガ情報として、２つのセッションの選択肢から１つを選び、５秒後に切り換える、
（ｂ1-4）トリガ情報として、カメラアングルをユーザ入力に従って選択し、切り換えを行う、
（ｂ1-5）トリガ情報として、ユーザの選択により異なるコンテンツに切り換えを行う、
（ｂ1-6）切り換え準備を行うトリガ情報と切り換えのためのトリガ情報を挿入し、切り換えのためのトリガ情報により切り換えを行う、
（ｂ1）もののうちのいずれかを含むものであ」り、
構成ｂ1-1〜ｂ1-5は、「ビデオスイッチコマンド」に相当する「トリガ情報」によって端末の動作を制御するものであって、「生成部」は、「ビデオスイッチコマンド」として、「ビデオスイッチコマンド」の組み合わせを生成するものではない。
　また、構成ｂ1-6は、「切り換え準備を行うトリガ情報」と「切り換えのためのトリガ情報」との２つの「トリガ情報」によって端末の動作を制御するものであり、「生成部」は２つの「トリガ情報」の組み合わせを生成しているといえる。
　しかしながら、引用発明は、本願発明１のような「ビデオスイッチコマンド」として、「プリセレクトコマンド」、「プリロードコマンド」、および「スイッチコマンド」を組み合わせたものではなく、「プリセレクトコマンド」および「スイッチコマンド」を組み合わせたものでもない。特に、引用文献１には、「再生する映像コンテンツの切り替えの実行の可否をユーザに確認させるプリセレクトコマンド」についての開示はない。
　そうすると、引用文献１をみても、引用発明において、「ビデオスイッチコマンド」として、「再生する映像コンテンツの切り替えタイミングに先行して、再生する映像コンテンツの切り替えの実行の可否をユーザに確認させるプリセレクトコマンド、再生する映像コンテンツの切り替えタイミングに先行して、切替え先の映像コンテンツを取得させるプリロードコマンド、および、再生する映像コンテンツを切り替えさせるスイッチコマンドの組み合わせを生成するか、または、前記プリセレクトコマンドおよび前記スイッチコマンドの組み合わせ」を生成するようにする動機付けはない。また、相違点に係る構成が自明のこととも認められない。
　したがって、当業者といえども、引用発明から、相違点に係る本願発明１の「ビデオスイッチコマンド」が、「再生する映像コンテンツの切り替えタイミングに先行して、再生する映像コンテンツの切り替えの実行の可否をユーザに確認させるプリセレクトコマンド、再生する映像コンテンツの切り替えタイミングに先行して、切替え先の映像コンテンツを取得させるプリロードコマンド、および、再生する映像コンテンツを切り替えさせるスイッチコマンドの組み合わせ」または「前記プリセレクトコマンドおよび前記スイッチコマンドの組み合わせ」であるという構成を容易に想到することはできない。
　　
２　本願発明２〜５について
　本願発明２〜５も、上記相違点に係る本願発明１の「ビデオスイッチコマンドとして、再生する映像コンテンツの切り替えタイミングに先行して、再生する映像コンテンツの切り替えの実行の可否をユーザに確認させるプリセレクトコマンド、再生する映像コンテンツの切り替えタイミングに先行して、切替え先の映像コンテンツを取得させるプリロードコマンド、および、再生する映像コンテンツを切り替えさせるスイッチコマンドの組み合わせを生成するか、または、前記プリセレクトコマンドおよび前記スイッチコマンドの組み合わせ」であるという同一の構成を有しているから、本願発明１と同じ理由により、当業者であっても、引用発明に基づいて容易に発明できたものとはいえない。
　　
３　本願発明６〜１４について
　本願発明６〜８、１２〜１４は、本願発明１のカテゴリの異なる発明であって、上記相違点と同様の「ビデオスイッチコマンド」が「再生する映像コンテンツの切り替えタイミングに先行して、再生する映像コンテンツの切り替えの実行の可否をユーザに確認させるプリセレクトコマンド、再生する映像コンテンツの切り替えタイミングに先行して、切替え先の映像コンテンツを取得させるプリロードコマンド、および、再生する映像コンテンツを切り替えさせるスイッチコマンドの組み合わせを生成するか、または、前記プリセレクトコマンドおよび前記スイッチコマンドの組み合わせ」であるという構成を有しているから、本願発明１と同様な理由により、当業者であっても、引用発明に基づいて容易に発明できたものとはいえない。
　また、本願発明９〜１１は、本願発明８を引用するから、本願発明８と同じ理由により、当業者であっても、引用発明に基づいて容易に発明できたものとはいえない。
　　
第６　原査定について
　上記第３〜第５のとおり、本願発明１〜１４は、原査定において引用された引用文献１に記載された発明に基づいて、容易に発明できたものとはいえない。
　したがって、原査定を維持することはできない。
　　
第７　むすび
　以上のとおり、原査定の理由によっては、本願を拒絶することはできない。
　また、他に本願を拒絶すべき理由を発見しない。
　よって、結論のとおり審決する。